(57)【特許請求の範囲】
【請求項１】
筒軸(Ｏ)の方向全長に亘って一定の径を有する軸筒(６)と、この軸筒(６)の両端を閉塞する一対の蓋体(２０)とを具備し、
上記軸筒(６)の筒壁の一側に、その筒軸(Ｏ)と平行なテープ吐出口であるスリット(１２)を形成しており、
上記軸筒（６）の外面から、上記スリット（１２）を覆う帯状のテープ保護片（１４）を突設したペン型テープ収納具において、
上記テープ保護片（１４）を、軸筒（６）の外面に連結した基端を中心として揺動可能なフラップ（１４Ｂ）としたことを特徴とする、ペン型テープ収納具。
【請求項２】
ペン型テープ収納具(４)と、ロールテープ(３０)とからなり、
上記ペン型テープ収納具(４)は、
筒軸(Ｏ)の方向全長に亘って一定の径を有する軸筒(６)と、この軸筒(６)の両端を閉塞する一対の蓋体(２０)とを具備し、
上記軸筒(６)の筒壁の一側に、その筒軸(Ｏ)と平行なテープ吐出口であるスリット(１２)を形成しており、
上記軸筒（６）の外面から、上記スリット（１２）を覆う帯状のテープ保護片（１４）を突設しており、
上記テープ保護片（１４）を、スリット（１２）の端部から、軸方向より見て一定の向きへ外方突設した不動突片（１４Ａ）としているペン型テープディスペンサーであって、
軸方向からみて、ロールテープ(３０)は、軸部(３２)の回りから周方向一方へテープを巻き出し可能とするとともに、軸筒(６)は、周方向他方へ向かってスリットの一端(Ｅ１)から他端(Ｅ２)へ至るＣ字形の輪郭を他端(Ｅ２)の接線方向へ延長する方向へ上記不動突片(１４Ａ)を突出してなり、上記ロールテープ(３０)はスリットの一端(Ｅ１)で不動突片(１４Ａ)の突出方向へ折り返すことで、テープ裏面の粘着部(４４)が不動突片(１４Ａ)と向かい合うように構成したことを特徴とする、ペン型テープディスペンサー。
【請求項３】
上記テープは、長手方向に対して一定の間隔(ｄ)で弱化線である切り離し線(３８)を形成しているとともに、上記不動突片(１４Ａ)の突出長(Ｌ)を、上記一定の間隔(ｄ)の整数倍としたことを特徴とする、請求項２記載のペン型テープディスペンサー。
【請求項４】
上記ロールテープ(３０)は、一定の軸部(３２)の回りにテープ(３６)を巻き付けてなるとともに、その軸部(３２)が少なくとも上記筒軸(Ｏ)と平行になるように、上記軸筒６内に収納されており、
ロールテープ(３０)から巻き出したテープ(３６)の先端を、上記スリット(１２)を介して外部へ引き出すことが可能に設けていることを特徴とする、請求項２又は請求項３に記載のペン型テープディスペンサー。
【発明の詳細な説明】
【技術分野】
【０００１】
本発明は、ペン型テープ収納具及びペン型テープディスペンサー、特に付箋の連続体を巻いてなるロールテープを収納することに適した、ペン型テープ収納具及びペン型テープディスペンサーに関する。
【背景技術】
【０００２】
近年、付箋の連続体を巻いてなるロールテープとして商品化することが行われている。こうしたロールテープは、ロールテープを回転させるローラーやネジとともに矩形箱型の容器に収納されたり（特許文献１）、先端が細く基部が太い液滴形状箱型のカッター本体に収納されている（特許文献２の図７参照）。
【先行技術文献】
【特許文献】
【０００３】
【特許文献１】特開２００６−３５４７１
【特許文献２】特開２００８−１７９１６２
【発明の概要】
【発明が解決しようとする課題】
【０００４】
特許文献１〜２の収納具は、ロールテープの形態に合わせて箱型の本体に収納しているが、こうした形状であると嵩張るため、その収納具自体を例えば筆箱に入れたり、衣服のポケットに入れて携帯することが困難であった。
【０００５】
付箋及び各種テープ状物は、いざ使おうとするときにそれが見当たらないと不便である。例えば乗り物に乗っているときに書籍に付箋でマーキングしようとしても、手元にないので、そのマーキング作業を後回しにし、結局、マーキング作業を失念してしまったり、或いはマーキングすべき箇所が判らなくなったりして、非常に不効率である。
またこの種の収納具では吐出口から吐出されたテープを千切って使った後に、収納具側のテープの先端部が吐出口付近に残される。次の使用の際にはこの先端部を引っ張って所要距離を引き出すのであるが、収納具を筆箱などに入れておくと、吐出口に残された先端部が汚れて体裁が悪くなる。
【０００６】
本発明の第1の目的は、ペン型テープ収納具或いはペン型テープディスペンサーであって、携帯に適したものを提供することである。
本発明の第２の目的は、ペン型テープ収納具或いはペン型テープディスペンサーであって、吐出口に残ったテープの先端部を保護できるものを提供することである。
【課題を解決するための手段】
【０００７】
まず本発明の基本的構成を説明する。この基本的構成は、ペン型テープ収納具であり、
筒軸Ｏの方向全長に亘って一定の径を有する軸筒６と、この軸筒６の両端を閉塞する一対の蓋体２０とを具備し、
上記軸筒６の筒壁の一側に、その筒軸Ｏと平行なテープ吐出口であるスリット１２を形成している。
また上記軸筒６の外面から、上記スリット１２を覆う帯状のテープ保護片１４を突設している。
【０００８】
ここで「ペン型」とは、例えば鉛筆・万年筆のように細長い形状をいう。ペン型テープ収納具４の軸筒６は、その筒軸方向に延びる少なくとも一つのスリット１２を有している。後述の如く、テープは付箋の連続体とすることができる。
【００１０】
また基本的構成であるペン型テープ収納具４は、スリットを覆うテープ保護片１４を具備している。テープ保護片１４は、スリット全体を覆うようにしてもよいが、スリットのうち特定箇所からテープが引き出される構造とするときには、当該特定箇所のみを覆うようにしても構わない。
【００１１】
第１の手段は、上記基本的構成であるペン型テープ収納具４を有し、かつ
上記テープ保護片１４を、軸筒６の外面に連結した基端を中心として揺動可能なフラップ１４Ｂとしている。
【００１２】
本手段では、可動式のテープ保護片を備えたペン型テープ収納具を提案している。すなわち、図９に示すように軸筒６の外面にフラップ１４Ｂの基端部１６を連結させている。フラップ１４Ｂは、スリット１２を覆うように配置され、ロールの先端部を保護する。フラップを外側に大きく開くことにより、スリット及びロールの先端部をはっきりと視認することができ、使い易い。
好適な一形態として、上記スリット１２及びフラップ１４Ｂを軸筒６の全長に亘って設けるとともに、フラップ１４Ｂを軸筒６の筒壁８と一体に形成し、かつ上記蓋体２０を軸筒６の両端部１０内に嵌合させた構成とすることができる。この構成は押出成形により形成することができる。また蓋体２０は軸筒６の両端部１０の外面ではなく、内面に嵌合させており、フラップ１４Ｂの動きを邪魔しない。
【００１４】
第２の手段は、
前記基本的構成であるペン型テープ収納具４と、ロールテープ３０とからなり、
上記テープ保護片１４を、スリット１２の端部から、軸方向より見て一定の向きへ外方突設した不動突片１４Ａとしているペン型テープディスペンサーであって、
軸方向からみて、ロールテープ３０は、軸部３２の回りから周方向一方へテープを巻き出し可能とするとともに、軸筒６は、周方向他方へ向かってスリットの一端Ｅ１から他端Ｅ２へ至るＣ字形の輪郭を他端Ｅ２の接線方向へ延長する方向へ上記不動突片１４Ａを突出してなり、上記ロールテープ３０はスリットの一端Ｅ１で不動突片１４Ａの突出方向へ折り返すことで、テープ裏面の粘着部４４が不動突片１４Ａと向かい合うように構成している。
【００１５】
本手段では、前記基本的構成であるペン型収納具とロールテープを備えたペン型テープディスペンサーを提案している。そして上記ペン型収納具は、不動式のテープ保護片を有している。すなわち、図１に示すように、スリット１２の端部から軸方向より見て一定の向きへ不動突片１４Ａを突出している。好適な図示例では、不動突片を、その基端から軸筒の外周面の接線Ｔ２の方向へ突出しているが、テープ保護片の機能を損なわない範囲でその向きを適宜変更できる。
なお、「一定の向き」という言葉は、突出方向が任意である後述の可動式のテープ保護片と区別するために用いている。
【００１６】
また本手段では、図１に示すようにテープをスリットの一端Ｅ１で折り返し、テープ裏面の粘着部がスリットの他端Ｅ２から接線方向へ突出する不動突片１４Ａに向かい合うようにしている。これによりテープの保護が確実になる。
【００１７】
第３の手段は、第２の手段を有し、かつ
上記テープは、長手方向に対して一定の間隔ｄで弱化線である切り離し線３８を形成しているとともに、上記不動突片１４Ａの突出長Ｌを、上記一定の間隔ｄの整数倍としている。
【００１８】
本手段では、図１に示すように不動突片１４Ａの突出長Ｌをテープの切り離し線３８の間隔の整数倍としている。弱化線である切り離し線がスリットの一端にくると、スリットを引き出すことに対する抵抗の変化を指先で感知できるので、その状態で不動突片の先端にある切り離し線を切断することができる。従ってテープの切り取りが容易である。
【００１９】
第４の手段は、第２の手段又は第３の手段の何れかに記載のペン型テープディスペンサーであり、
上記ロールテープ３０は、一定の軸部３２の回りにテープ３６を巻き付けてなるとともに、その軸部３２が少なくとも上記筒軸Ｏと平行になるように、上記軸筒６内に収納されており、
ロールテープ３０から巻き出したテープ３６の先端を、上記スリット１２を介して外部へ引き出すことが可能に設けている。
【００２０】
本手段は、ペン型テープ収納具４の軸筒６内へ、その筒軸Ｏとロールテープ３０の軸部３２が平行になるように当該ロールテープ３０を収納することを提案している。
なお、上記軸筒６内には筒軸方向に複数のロールテープ３０を配置することができる。すなわち、図３に示すように筒軸方向に複数のロールテープを収納することで、軸筒６内に一定量のテープを効率的に収納することが可能となる。
また  図８又は図１３に示すように上記ロールテープ３０のテープ３６を、巻き出し方向Ｘに等間隔の切り離し線３８で区分するとともに、裏面の一部のみを粘着部４４とする複数の付箋４０の連続体に形成することができる。区分する各テープ部分は、裏面の一部を粘着部４４とする付箋としている。粘着部４４は図１３の如く巻き出し方向Ｘの一部を粘着部としてもよく、図８の如くＸと直交する方向Ｙの一部を粘着部としてもよい。ロールテープ３０のテープ３６を、付箋４０の連続体としたから、付箋を筆箱などにコンパクトに収納することができ、付箋の利用可能性が広がる。
さらにまた、上記軸部３２と連設して上記筒軸Ｏの方向へ延びる軸棒２２を設け、この軸棒２２の両端を上記一対の蓋体２０に連結した固定端としてもよい。
ロールテープの軸棒２２を一対の蓋体２０に連結した固定端としたので、ロールテープが残り少なくなっても軸筒６内でロールテープがガタつくことがない。ここで「固定端」とは、軸筒部に両蓋体を嵌合した状態で蓋体の連結箇所から外れないという意味であり、蓋体を外したときに、蓋体から離脱するものであってもよい。また蓋体の連結箇所（嵌合穴）内に回転可能に連結されていても構わない。
【発明の効果】
【００２１】
第１の手段又は第２の手段に係る発明によれば、ペン型テープ収納具は、ペン型なので筆箱などに収納し易く、使い勝手がよい。
またテープの先端部を保護するテープ保護片１４を設けたのでテープの先端部が汚れたり、曲がったりすることを防止できる。
第１の手段の発明によれば、上記テープ保護片１４は、軸筒６の外面に連結した基端を中心として揺動可能なフラップ１４Ｂとしたから、テープを引き出すときにはフラップ１４Ｂを大きく外へ開くことができ、テープ吐出口に残ったテープの先端部を指で摘まみやすいので、使い勝手がよい。
第２の手段の発明によれば、上記テープ保護片１４を、スリット１２の端部から、軸方向より見て一定の向きへ外方突設した不動突片１４Ａとしているから、製造が容易である。
第２の手段によれば、テープ裏面の粘着部４４が不動突片１４Ａと向かい合うように構成したから、テープの粘着部を保護できる。
第３の手段によれば、長手方向に対して一定の間隔ｄで弱化線である切り離し線３８を形成しているとともに、上記不動突片１４Ａの突出長Ｌを、上記一定の間隔ｄの整数倍としたから、テープを所要長さだけ引き出し、切断することが容易である。
第４の手段に係る発明によれば、全長に亘ってテープ吐出口であるスリット１２を形成した軸筒６内に複数のロールテープ３０を収納したから、一定量の付箋を収納するのに、収納具の軸方向のスペースを利用することができ、従ってロールテープも収納具の軸筒も細く形成することができるから、使い勝手のよい形とすることができる。
【図面の簡単な説明】
【００２２】
【図１】本発明の第１実施形態に係るペン型テープディスペンサーの横断面図である。
【図２】図１のテープディスペンサーの要部拡大図である。
【図３】図１のテープディスペンサーのＩＩＩ−ＩＩＩ方向の縦断面図である。
【図４】図１のテープディスペンサーのＩＶ−ＩＶ方向の縦断面図である。
【図５】図１のテープディスペンサーの斜視図である。
【図６】図１のテープディスペンサーの第１変形例の横断面図である。
【図７】図１のテープディスペンサーの第２変形例の横断面図である。
【図８】図１のテープディスペンサーに用いるロールテープの実施例を示す図である。
【図９】本発明の第２実施形態に係るペン型テープディスペンサーの横断面図である。
【図１０】図９のテープディスペンサーのＸＩ−ＸＩ方向の縦断面図である。
【図１１】図９のテープディスペンサーのＸ−Ｘ方向の縦断面図である。
【図１２】図９のテープディスペンサーの斜視図である。
【図１３】図９のテープディスペンサーに収納するロールテープの斜視図である。
【図１４】図９のテープディスペンサーの構成を示す斜視図であり、同図（Ａ）はテープディスペンサーの主要部（テープ収納具）の分解斜視図、同図（Ｂ）は組み立て工程を示す斜視図である。
【図１５】本発明の第３実施形態のペン型テープディスペンサーの横断面図である。
【図１６】図１５のテープディスペンサーの縦断面図である。
【図１７】本発明の第４実施形態のペン型テープディスペンサーの縦断面図である。
【図１８】本発明の第５実施形態のペン型テープディスペンサーの縦断面図である。
【図１９】本発明の第６実施形態のペン型テープディスペンサーの斜視図である。
【発明を実施するための最良の形態】
【００２３】
図１から図８は、本発明の第１の実施形態に係るペン型テープディスペンサー２を示している。このペン型テープディスペンサー２は、ペン型テープ収納具４と、ロールテープ３０とで構成される。
【００２４】
ペン型テープ収納具４は、軸筒６と、蓋体２０と、軸棒２２とで構成されている。これら各部品は例えば合成樹脂で形成することができる。
【００２５】
上記軸筒６は、後述のロールテープ収納用筒であり、筒軸Ｏの方向全長に亘って一定の径を有する両端開口の筒壁８と、筒壁８に付設したテープ保護片１４とを含む。
【００２６】
上記筒壁８の外形は、ペンのように細長い棒状である。筒壁８は、ロールテープを透視し易いように透明材料で形成することができる。図示例の筒壁８は、円筒状であるが、特にこの形態に限定される必要はない。もっとも、筒壁８の筒孔９の断面を、円形又は円が内接可能な正多角形とすると、ロールテープを収納したときに筒壁８内部に無駄な空間（デットスペース）ができにくい。
【００２７】
上記筒壁８の一側には、筒軸Ｏに平行にテープ吐出口であるスリット１２が形成されている。このスリット１２は、筒軸Ｏの全長に亘って形成することが望ましい。
【００２８】
上記テープ保護片１４は、スリットの近傍（図示例ではスリットの端部）から突設している。「突設」という言葉は、軸筒とテープ保護片と一体成形する場合と、別体として成形したテープ保護片を軸筒に接着などの手段により連結する場合とを含むものとし、好適な図示例では前者を採用している。また図示例では、スリット１２の端部から、スリットの全体を覆うようにテープ保護片１４を突出している。しかし、それらの構造は適宜変更することができる。テープ保護片１４は、少なくとも一定の形状を保持できる程度の強度を有する。  
【００２９】
本実施形態では、上記テープ保護片１４は、突出方向が一定である不動突片１４Ａとして形成している。図示例では、スリット１４の両端部Ｅ１、Ｅ２の片方（Ｅ２）を接点Ｃ２とする接線Ｔ２に沿って不動突片１４Ａを突出している。この構成により、スリット１４の他の端部Ｅ１付近の接点Ｃ１から延びる接線Ｔ１との間に“∠”形状の隅空間が形成される。この隅空間内にスリットから吐出されたテープの先端部が在るので、収納具を筆箱に入れたり、或いは散らかった机の上に置いても、テープの先端部が他物と接触しにくい。従ってテープの先端部が保護される。
【００３０】
好適な図示例では、不動突片１４Ａは、平坦な板状（特に帯板状）に形成しており、収納具を図１に想像線で示す平坦な載置面Ｓに置くときに載置面Ｓの上に置かれる脚板を兼ねる。利用者は、不動突片である脚板を見てこれが下になるように載置面Ｓ上に置くと、自然としてスリット及びテープ先端部は、収納具の下側に位置するので、なおさら先端部と他物とが接触しにくいことになる。すなわち、テープ保護機能が向上する。
【００３１】
また本実施形態の構造では、もともと軸部を中心として回転対称なテープディスペンサーの軸筒の一か所から不動突片を突出しているので、その突出箇所側へテープディスペンサーの重心が移動している。従って図１に示す姿勢でテープディスペンサーを載置面Ｓの上におくと、不動突片があることで図１の状態での安定性が高まる。また図１に示すように載置面Ｓの上に置かれた場合、図面右方向に軸筒６が押されても不動突片がつっかい棒の役割を果たすので、同方向には転がらない。図面左方向に軸筒６が押されるとある程度転がる可能性があるが、半回転以上転がった後に不動突片１４Ａの先端部が載置面に突き当たるので、無制限に転がることはない。不動突片１４Ａの突出長さを長くしたり、不動突片に錘を付設すれば安定性は更に向上する。
【００３２】
好適な図示例では、不動突片１４Ａの突出長を軸筒６の半径より長くして、突出方向と直交する方向からみて（図３参照）、軸筒６の輪郭Ｐの外側へ不動突片１４Ａが延びるように設けている。
【００３３】
また図示例では、上述の接線Ｔ２と接線Ｔ１との角度θを３０°程度としているが、その角度は適宜変更することができ、例えばθを鋭角としてもよい。
【００３４】
さらにまた図示例では、不動突片１４Ａをスリットの端部から突出している。この構成であると、例えば一枚のシートを図１の断面形状へ曲げ加工することで軸筒６及びテープ保護片１４を一体に成形できるので、製作が簡単である。もっともこの構造は適宜変更することができ、後述の図９の例のようにスリットから離れた軸筒の外周面から不動突片１４Ａを突出しても構わない。
【００３５】
図示例では、上記フラップ１４Ｂはスリット１２とともに筒壁８の全長に亘って形成されている。この軸筒６は、図９に示すようにスリット１２からフラップ１４Ｂが離れた形態で押出し成形により形成することができる。
【００３６】
蓋体２０は、上記軸筒６の両端部１０にそれぞれ嵌合されている。図示の蓋体２０は、上記軸筒６の端部１０内に嵌合される栓部２０ａを蓋板２０ｂの内面に付設してなる。こうすることで、栓部２０ａを軸筒６の端部１０内に嵌挿したときに、蓋板２０ｂが軸筒６の端面に突き当たるように設けている。また栓部２０ａの内面には嵌合穴２１を設けている。
【００３７】
テープロール３０は、軸部３２の回りにテープ３６を巻き付けることで構成される。本実施形態では、軸部３２を、軸孔３４を有する両端開口の筒体とし、その軸孔３４に軸棒２２を通して、軸棒２２に軸部３２を回転可能に装着している。しかし、この構造は適宜変更することができ、例えば軸部３２と軸棒２２とを一体に成形してもよい。テープ３６は、本実施形態では、巻き出し方向Ｘに等間隔の切り離し線３８を区分して、区分された各テープ部分を、テープの裏面４２において一部を粘着部４４とするとともに残りの部分を摘み部４６とした付箋４０に形成している。もっともテープ３６を、付箋以外の物、例えば裏面全体が粘着部である通常の粘着テープ、或いは非粘着型テープ（紙テープやリボン）とすることもできる。
【００３８】
本実施形態では、このロールテープ３０は、図８に示すようにテープ３６の巻出し方向Ｘと直交する方向Ｙの中間部を粘着部４４とし、両端部を摘み部４６としている。この構成では、一方の摘み部４６を摘まんで引っ張ることにより、切り離し線３８に局部的に力が作用するので効果的に切り離し線３８を破断させることができる。これに対して、切り離し線で区画されたテープ部分のうちテープロールから遠い側を摘み部、近い側を粘着部とすることもできる（図６参照）。
【００３９】
本実施形態では、軸部３２の回りからのテープ３６を巻き出す方向を軸線方向から見て周方向一方（図示例では時計回り）とすると、軸筒は、周方向他方（図示例では反時計回り）に端部Ｅ１から端部Ｅ２へ向かう筒壁のＣ字形の輪郭を、他端Ｅ２からさらに接線方向Ｔ２へ延長する方向に不動突片１４Ａを突出する。そしてテープを端部Ｅ１で折り返して、テープ裏面の粘着部４４が不動突片１４Ａに向かい合い、不動突片の上面に粘着するようにしている。これにより粘着部を保護することができる。またテープの両側には粘着ブを設けていないので両側を摘まんで不動突片から剥がすことも容易である。
【００４０】
不動突片１４Ａの突出長Ｌは、弱化線である、テープの切り離し線３８の間隔ｄの整数倍としている。弱化線とは、ミシン目や肉薄線で形成される線をいう。弱化線はテープの他の箇所より弱いため、一つの弱化線がスリットの端部Ｅ１に来ると、テープを引き出すときの抵抗が変化し、その変化はテープを引く指に一定の感触として伝わる。これによりテープの位置決め機能が発揮される。すなわち、上記の感触が生ずるときに、一つの弱化線がスリットの端部Ｅ１にあり、同時に別の弱化線が不動突片１４Ａの先端に位置している。この状態で不動突片の先端にある弱化線を容易に切断することができる。なお、テープとして合成樹脂製のフィルムを生ずると、感触の変化ともに摩擦音を生ずるようにすることができる。
【００４１】
本実施形態のテープディスペンサーを組み立てるときには、まず軸棒２２にテープロールを挿通する。次に蓋体２０を軸筒６から取り外した状態で、テープの先部をスリットに通すようにしてテープロール付きの軸棒を軸筒６内に挿入する。そして軸棒の両端を蓋体の嵌合穴内に嵌挿させて、蓋体２０を軸筒６の両端に取り付ければよい。
【００４２】
上記構成において、付箋４０を取り出すときには、スリット１２から突出した一番目の付箋４０の摘み部４６を摘まんで所定の長さだけ引き出す。そして一番目の付箋４０を外に引っ張ると切り離し線３８を破断させることができる。
【００４３】
またテープ３６を使い切ったときには、蓋板２０ｂに指を掛けて筒軸方向Ｏ外方へ引っ張ることで蓋体２０を外し、ロールテープ３０を交換すればよい。
【００４４】
図６は、本実施形態の第１変形例であって、ロールテープからのテープの巻し出し方向を図１と逆にしている。すなわち、スリットの端部Ｅ１から端部Ｅ２へ至るＣ字形の輪郭から不動突片を突出する方向と同じ方向としたものである。この場合、テープは端部Ｅ１で折り返すことなく、スリットから突出しているため、テープの引き出しが容易である。テープの粘着部は、図面上方に向いているため、図１に比べると粘着部が外気にさらされるという問題はあるが、テープ部分そのものは、上述の隅空間内に位置するため他物との接触は免れる。図示例では、付箋４０の巻き出し方向Ｘのうちロールテープに近い側を粘着部４４に、かつロールテープから遠い側を摘み部４６にしている。
【００４５】
図７は、本実施形態の第２変形例を示している。本実施例では、上記スリットを、端部同士が弾性的に接する切割り線として、スリットの端部間にテープを挟持することができるようにしている。一般に弾性を有するプラスチックシートで形成したロールテープは、自身の弾性復元力により、巻かれた状態から元に戻ろうとするのを、テープ間の粘着力で止めている。しかしながら、弾性復元力を完全に停止することはできず、図７に矢示するようにテープの先部を外方へ押し出そうとする力が作用する。そうした力をスリットの端部間の挟持力で阻止している。
【００４６】
以下、本発明の他の実施形態を説明する。これらの説明において、第２実施形態と同じ構造については解説を省略する。
【００４７】
図９から図１４は、本発明の第２の実施形態に係るペン型テープディスペンサー２を示している。本実施形態では、テープ保護片１４として、上述の不動突片１４Ａに代えて揺動可能なフラップ１４Ｂを採用している。
【００４８】
上記フラップ１４Ｂは、上記筒壁８の外面に連結した基端部１６を中心として、スリット１２から離れた第１の位置（図９に実線で示す位置）と、スリット１２を覆う第２の位置（図９に想像線で示す位置）との間を回転（揺動）することが可能に形成している。テープを切るときには、軸筒６とフラップ１４Ａとの間にテープを挟んだときに、テープの先端部がフラップ１４Ｂの先端部１８よりも先方に出ないように切断するものとする。そして収納具を使用しないときには、スリット１２から引き出されたテープ３６の先端部を、フラップ１４Ｂで押さえることで、この先端部を他物との接触から保護することができる。
【００４９】
上記フラップ１４Ｂは、筒軸Ｏ方向から見て、筒壁８の外面に沿うことが可能な形状とすることが望ましい。図示のフラップ１４Ｂは、筒壁８の外面と同一曲率の円弧状に形成している。
【００５０】
本発明のペン型テープディスペンサー２を組み立てるときには、図１４（Ａ）に示すように、下側の蓋体２０の嵌合穴２１に軸棒２２の下端部を嵌着させ、図１４（Ｂ）に示すように、この軸棒２２に必要数のロールテープ３０を順次挿着させ、これらロールテープ３０の周囲に囲むように同図に想像線で示すように軸筒６を被せる。このときに、スリット１２を広げて、スリット１２に各ロールテープ３０のテープ（一番目の付箋４０）と挿通させながら、軸筒６を被せると好適である。そして軸筒６の両端部に各蓋体２０を嵌合すればよい。
【００５１】
図１５及び図１６は、本発明の第３実施形態に係るペン型テープディスペンサー２を示している。本実施形態では、ペン型テープ収納具４の横断面を正多角形（図示例では６角形）としている。フラップ１４Ｂは、その正多角形の一辺に対応する平板形状に形成している。もっともこれらの構造は適宜変更することができる。またペン型テープ収納具４は、一個分のロールテープ３０を収納可能な長さに形成している。
【００５２】
図１７は、本発明の第４の実施形態に係るペン型テープディスペンサー２を示している。本実施形態では、このペン型テープディスペンサー２を筆記具兼用としている。具体的には、一方の蓋体２０において、前述の蓋板２０ｂを口先部２０ｃに代えて栓部２０ａから口先部２０ｃの先端へ貫通する貫通孔２１Ａを形成している。そして軸棒２２を筆記具の芯（ボールペンの芯など）として、芯の筆記部分２２ａを貫通孔２１Ａから外部へ露出させている。図示例では、口先部２０ｃを紡錘形に形成しているが、その構造は適宜変更することができる。
【００５３】
本実施形態において、テープ保護片は、第２実施形態のフラップを採用すればフラップを軸筒の表面に重ねた状態でその外側から握れば、フラップが握る動作の邪魔になることはない。また第1実施形態の不動突片を採用しても、突出長が図１に示す程度であれば、握る場所を選べば（例えば不動突片が親指と人差し指との間にあるように握れば）障害なく握ることができる。
【００５４】
図１８は、本発明の第５の実施形態に係るペン型テープディスペンサー２を示している。本実施形態では、第２実施形態の構成のうちで軸棒を省略している。その結果、ロールテープの軸部３２の両端を自由端となっている。単にロールテープを軸筒６内に収納しただけで構成されるから、パーツ数を省略できる。
【００５５】
図１９は、本発明の第６の実施形態に係るペン型テープディスペンサー２を示している。本実施形態では、第２実施形態の構成のうちでテープ保護片を省略している。
【符号の説明】
【００５６】
２…ペン型テープディスペンサー  ４…ペン型テープ収納具
６…軸筒  ８…筒壁  ９…筒孔  １０…端部  １２…スリット
１４…テープ保護片  １４Ａ…不動突片  １４Ｂ…フラップ
１６…基端部  １８…先端部
２０…蓋体  ２０ａ…栓部  ２０ｂ…蓋板  ２０ｃ…口先部  ２１…嵌合穴
２１Ａ…貫通孔  ２２…軸棒  ２２ａ…筆記部分
３０…ロールテープ  ３２…軸部  ３４…軸孔  ３６…テープ  ３８…切り離し線
４０…付箋  ４２…裏面  ４４…粘着部  ４６…摘まみ部
Ｃ１、Ｃ２…接点  Ｏ…筒軸  Ｐ…輪郭  Ｓ…載置面  Ｔ２、Ｔ１…接線
Ｅ１、Ｅ２…接点
【図１】
0006470990.tif 000002
【図２】
0006470990.tif 000003
【図３】
0006470990.tif 000004
【図４】
0006470990.tif 000005
【図５】
0006470990.tif 000006
【図６】
0006470990.tif 000007
【図７】
0006470990.tif 000008
【図８】
0006470990.tif 000009
【図９】
0006470990.tif 000010
【図１０】
0006470990.tif 000011
【図１１】
0006470990.tif 000012
【図１２】
0006470990.tif 000013
【図１３】
0006470990.tif 000014
【図１４】
0006470990.tif 000015
【図１５】
0006470990.tif 000016
【図１６】
0006470990.tif 000017
【図１７】
0006470990.tif 000018
【図１８】
0006470990.tif 000019
【図１９】
0006470990.tif 000020